(57)【要約】  【課題】  各オプションボードでハイウェイタイミング制御を行い、タイムスロットの並びを自由に入れ替えることができる時分割多重方式のＴＤＭ装置を提供する。  【解決手段】  主制御部５、ＰＲＩインタフェース部６、ＢＲＩインタフェース部７ａ１〜７ａｎ、制御バスＢＵおよびハイウェイ８を備え、主制御部５から制御バスＢＵを介して設定されるタイムスロット接続情報に基づいてＰＲＩインタフェース部６およびＢＲＩインタフェース部７ａ１〜７ａｎがハイウェイ８への接続タイミングを決定し、タイムスロットの配列を自由に設定することによってデータの多重を実行する。【選択図】  図３
2005073204.tif 000002
【特許請求の範囲】
【請求項１】
複数のディジタル専用線のデータを多重化してデータ通信を行うＴＤＭ装置において、
ＰＲＩ専用回線を接続する一次群インタフェース部と、複数のＢＲＩ専用回線を接続する複数の基本群インタフェース部と、Ｂチャネルをタイムスロット接続情報に基づいて指定されたタイムスロットに割り当てる主制御部と、基本クロック線、基本フレーム線、２本のデータ線を有するハイウェイと、を備え、
前記一次群インタフェース部および前記基本群インタフェース部は、それぞれハイウェイタイミング制御を行い、タイムスロットの配列を自由に設定するハイウェイを介して相互接続し、データ多重、データ分離をすることを特徴とするＴＤＭ装置。
【請求項２】
複数のオプションスロットを備え、前記一次群インタフェース部および前記複数の基本群インタフェース部を前記任意のオプションスロットに搭載可能なことを特徴とする請求項１記載のＴＤＭ装置。
【請求項３】
前記一次群インタフェース部は、内部レジスタにタイムスロット接続情報を記憶し、タイムスロット接続情報に対応して前記ハイウェイへの接続タイミングを生成するハイウェイタイミング制御部と、基準クロックおよび基準フレームの発信元になった場合、前記ＰＲＩ専用回線から抽出した同期クロックを分周して基準クロックおよび基準フレームを作成し、前記ハイウェイに送出するＰＲＩディジタル専用線インタフェース部と、前記ＰＲＩ専用回線の複数のタイムスロット分データを一時的にメモリに蓄積する中継制御部と、前記ハイウェイタイミング制御部の指示により、前記ハイウェイの任意のタイムスロットにデータを乗せるハイウェイインタフェース部と、を備えたことを特徴とする請求項１または請求項２記載のＴＤＭ装置。
【請求項４】
前記主制御部は、タイムスロット接続情報を登録するメモリを備え、タイムスロット単位で管理し、装置の起動時または設定変更時に、制御バスを介して前記任意のオプションスロットに搭載された前記一次群インタフェース部または前記複数の基本群インタフェース部の内部レジスタにタイムスロット接続情報を設定することを特徴とする請求項１または請求項２記載のＴＤＭ装置。
【請求項５】
前記主制御部は、前記一次群インタフェース部または前記複数の基本群インタフェース部の１枚を選択し、基準クロックおよび基準フレームを発信するオプションスロットを指定することを特徴とする請求項１または請求項２記載のＴＤＭ装置。
【請求項６】
基準クロックおよび基準フレームの発信元になる前記ＰＲＩインタフェース部または前記ＢＲＩインタフェース部は、基本クロックの周波数を増加することにより、タイムスロットを増加することを特徴とする請求項５記載のＴＤＭ装置。
【請求項７】
前記ハイウェイは、データ線Ｄ１とデータ線Ｄ２を備え、装置に搭載する前記オプションスロットの番号に基づいてデータの送受信方向を決定することを特徴とする請求項１記載のＴＤＭ装置。
【請求項８】
前記ハイウェイは、基準クロックおよび基準フレームに基づいて時分割多重を行い、データ線Ｄ１とデータ線Ｄ２のタイムスロットでデータ通信を実行することを特徴とする請求項７記載のＴＤＭ装置。
【発明の詳細な説明】
【技術分野】
【０００１】
本発明は複数のＢＲＩ（基本群インタフェース：Basic Rate Interface）専用線のＢチャネルデータをＢチャネル単位で多重化してＰＲＩ（一次群インタフェース：Primary Rate Interface）専用線でデータ伝送するＴＤＭ（Time Division Multiplex）装置に係り、特に各オプションボードでハイウェイタイミング制御を行い、タイムスロットの並びを自由に入れ替えることにより、Ｂチャネルデータを多重化して伝送するＴＤＭ装置に関する。
【背景技術】
【０００２】
従来のＴＤＭ装置において、複数のＢＲＩ専用回線のデータを時分割多重化し、多重化したデータを１本のＰＲＩ専用回線を介して伝送するものが知られている。
【０００３】
このような従来のＴＤＭ装置は、各専用線インタフェースからのＢチャネルデータをハイウェイの予め指定されたタイムスロットに乗せ、時間スイッチメモリに書き込み、時間スイッチメモリに書き込んだデータの読み出し順序を変更してタイムスロットの入れ替えを行うことにより、各専用線インタフェースの多重化順序の変更を行っている。
【０００４】
また、従来のＴＤＭ装置は、本出願人が「特許文献１」で開示したように、時分割スイッチ（時間スイッチメモリに相当）を用いてＢチャネルデータの多重化をするものが知られている。
【特許文献１】特開平１０−２４７８８１号公報
【発明の開示】
【発明が解決しようとする課題】
【０００５】
「特許文献１」を含む従来のＴＤＭ装置は、時間スイッチメモリを採用し、データの読み出し順序を変更してタイムスロットの入れ替えを行うため、時間スイッチメモリに障害が発生した場合には、装置全体に影響が出てしまいデータの多重化が損なわれてしまう課題がある。
【０００６】
現在の社会情勢を考えると、ネットワークは昼夜を問わず利用されているため、装置に故障等が発生しても故障等の影響を最小限にして直ちに復旧することが望まれる。
【０００７】
また、従来のＴＤＭ装置は、多重化能力（データ伝送速度）が時間スイッチメモリの容量によるハイウェイのタイムスロット数で決定されるため、多重化能力（データ伝送速度）を容易にアップして拡張性を図ることができない。
【０００８】
この発明はこのような課題を解決するためになされたもので、第１の目的は各オプションボードでハイウェイタイミング制御を行い、タイムスロットの並びを自由に入れ替えることができる時分割多重方式のＴＤＭ装置を提供することにある。
【０００９】
また、第２の目的は多重化部を専用ボードとして設けず、分散させることにより、多重化部の故障に伴う装置全体の通信不可状態を回避するＴＤＭ装置を提供することにある。
【００１０】
さらに、多重化能力（データ伝送速度）を容易に増加できるＴＤＭ装置を提供することにある。
【課題を解決するための手段】
【００１１】
前記課題を解決するためこの発明に係るＴＤＭ装置は、ＰＲＩ専用回線を接続する一次群インタフェース部と、複数のＢＲＩ専用回線を接続する複数の基本群インタフェース部と、Ｂチャネルをタイムスロット接続情報に基づいて指定されたタイムスロットに割り当てる主制御部と、基本クロック線、基本フレーム線、２本のデータ線を有するハイウェイとを備え、前記一次群インタフェース部および前記基本群インタフェース部は、それぞれハイウェイタイミング制御を行い、タイムスロットの配列を自由に設定するハイウェイを介して相互接続し、データ多重、データ分離をすることを特徴とする。
【００１２】
この発明に係るＴＤＭ装置は、ＰＲＩ専用回線を接続する一次群インタフェース部と、複数のＢＲＩ専用回線を接続する複数の基本群インタフェース部と、Ｂチャネルをタイムスロット接続情報に基づいて指定されたタイムスロットに割り当てる主制御部と、基本クロック線、基本フレーム線、２本のデータ線を有するハイウェイとを備え、一次群インタフェース部および基本群インタフェース部は、それぞれハイウェイタイミング制御を行い、タイムスロットの配列を自由に設定するハイウェイを介して相互接続し、データ多重、データ分離をするので、データ多重、データ分離の自由度が広く、容易に実行することができる。
【００１３】
また、この発明に係るスイッチ駆動手段は、複数のオプションスロットを備え、一次群インタフェース部および複数の基本群インタフェース部を任意のオプションスロットに搭載可能なことを特徴とする。
【００１４】
この発明に係るスイッチ駆動手段は、複数のオプションスロットを備え、一次群インタフェース部および複数の基本群インタフェース部を任意のオプションスロットに搭載可能なので、装置の初期設定ならびに増設を極めて容易に実現することができる。
【００１５】
さらに、この発明に係る一次群インタフェース部は、内部レジスタにタイムスロット接続情報を記憶し、タイムスロット接続情報に対応してハイウェイへの接続タイミングを生成するハイウェイタイミング制御部と、基準クロックおよび基準フレームの発信元になった場合、ＰＲＩ専用回線から抽出した同期クロックを分周して基準クロックおよび基準フレームを作成し、ハイウェイに送出するＰＲＩディジタル専用線インタフェース部と、ＰＲＩ専用回線の複数のタイムスロット分データを一時的にメモリに蓄積する中継制御部と、ハイウェイタイミング制御部の指示により、ハイウェイの任意のタイムスロットにデータを乗せるハイウェイインタフェース部とを備えたことを特徴とする。
【００１６】
この発明に係る一次群インタフェース部は、内部レジスタにタイムスロット接続情報を記憶し、タイムスロット接続情報に対応してハイウェイへの接続タイミングを生成するハイウェイタイミング制御部と、基準クロックおよび基準フレームの発信元になった場合、ＰＲＩ専用回線から抽出した同期クロックを分周して基準クロックおよび基準フレームを作成し、ハイウェイに送出するＰＲＩディジタル専用線インタフェース部と、ＰＲＩ専用回線の複数のタイムスロット分データを一時的にメモリに蓄積する中継制御部と、ハイウェイタイミング制御部の指示により、ハイウェイの任意のタイムスロットにデータを乗せるハイウェイインタフェース部とを備えたので、ハイウェイからのＢチャネルデータを多重化してＰＲＩ専用回線に送信するとともに、ＰＲＩ専用回線からのＢチャネルデータを分離してハイウェイを介して各基本群インタフェース部に伝送することができる。
【００１７】
また、この発明に係る主制御部は、タイムスロット接続情報を登録するメモリを備え、タイムスロット単位で管理し、装置の起動時または設定変更時に、制御バスを介して任意のオプションスロットに搭載された一次群インタフェース部または複数の基本群インタフェース部の内部レジスタにタイムスロット接続情報を設定することを特徴とする。
【００１８】
この発明に係る主制御部は、タイムスロット接続情報を登録するメモリを備え、タイムスロット単位で管理し、装置の起動時または設定変更時に、制御バスを介して任意のオプションスロットに搭載された一次群インタフェース部または複数の基本群インタフェース部の内部レジスタにタイムスロット接続情報を設定するので、一次群インタフェース部および複数の基本群インタフェース部でデータの多重化を受け持つことができる。
【００１９】
さらに、この発明に係る主制御部は、一次群インタフェース部または複数の基本群インタフェース部の１枚を選択し、基準クロックおよび基準フレームを発信するオプションスロットを指定することを特徴とする。
【００２０】
この発明に係る主制御部は、一次群インタフェース部または複数の基本群インタフェース部の１枚を選択し、基準クロックおよび基準フレームを発信するオプションスロットを指定するので、一次群インタフェース部または基本群インタフェースのいずれからでも基準クロックおよび基準フレームを発信することができる。
【００２１】
また、この発明に係る基準クロックおよび基準フレームの発信元になるＰＲＩインタフェース部またはＢＲＩインタフェース部は、基本クロックの周波数を増加することにより、タイムスロットを増加することを特徴とする。
【００２２】
この発明に係る基準クロックおよび基準フレームの発信元になるＰＲＩインタフェース部またはＢＲＩインタフェース部は、基本クロックの周波数を増加することにより、タイムスロットを増加するので、オプションスロットにＢＲＩインタフェース部を搭載するだけで多重化するＢチャネルを増加することができる。
【００２３】
さらに、この発明に係るハイウェイは、データ線Ｄ１とデータ線Ｄ２を備え、装置に搭載するオプションスロットの番号に基づいてデータの送受信方向を決定することを特徴とする。
【００２４】
この発明に係るハイウェイは、データ線Ｄ１とデータ線Ｄ２を備え、装置に搭載するオプションスロットの番号に基づいてデータの送受信方向を決定するので、一次群インタフェース部および複数の基本群インタフェース部を搭載するオプションスロットを限定することなく、限られたデータ線の帯域でデータを伝送することができる。
【００２５】
また、この発明に係るハイウェイは、基準クロックおよび基準フレームに基づいて時分割多重を行い、データ線Ｄ１とデータ線Ｄ２のタイムスロットでデータ通信を実行することを特徴とする。
【００２６】
この発明に係るハイウェイは、基準クロックおよび基準フレームに基づいて時分割多重を行い、データ線Ｄ１とデータ線Ｄ２のタイムスロットでデータ通信を実行するので、多重化を分散させて実行することができる。
【発明の効果】
【００２７】
この発明に係るＴＤＭ装置は、ＰＲＩ専用回線を接続する一次群インタフェース部と、複数のＢＲＩ専用回線を接続する複数の基本群インタフェース部と、Ｂチャネルをタイムスロット接続情報に基づいて指定されたタイムスロットに割り当てる主制御部と、基本クロック線、基本フレーム線、２本のデータ線を有するハイウェイとを備え、一次群インタフェース部および基本群インタフェース部は、それぞれハイウェイタイミング制御を行い、タイムスロットの配列を自由に設定するハイウェイを介して相互接続し、データ多重、データ分離をするので、データ多重、データ分離の自由度が広く、容易に実行することができ、利便性の向上を図ることができる。
【００２８】
また、この発明に係るＴＤＭ装置は、複数のオプションスロットを備え、一次群インタフェース部および複数の基本群インタフェース部を任意のオプションスロットに搭載可能なので、装置の初期設定ならびに増設を極めて容易に実現することができ、使い勝手の良さをアピールすることができる。
【００２９】
さらに、この発明に係る一次群インタフェース部は、内部レジスタにタイムスロット接続情報を記憶し、タイムスロット接続情報に対応してハイウェイへの接続タイミングを生成するハイウェイタイミング制御部と、基準クロックおよび基準フレームの発信元になった場合、ＰＲＩ専用回線から抽出した同期クロックを分周して基準クロックおよび基準フレームを作成し、ハイウェイに送出するＰＲＩディジタル専用線インタフェース部と、ＰＲＩ専用回線の複数のタイムスロット分データを一時的にメモリに蓄積する中継制御部と、ハイウェイタイミング制御部の指示により、ハイウェイの任意のタイムスロットにデータを乗せるハイウェイインタフェース部とを備えたので、ハイウェイからのＢチャネルデータを多重化してＰＲＩ専用回線に送信するとともに、ＰＲＩ専用回線からのＢチャネルデータを分離してハイウェイを介して各基本群インタフェース部に伝送することができ、一部の基本群インタフェース部の多重化に故障が発生しても装置全体に影響を及ぼすことなく、通信の継続を保証することができる。
【００３０】
また、この発明に係る主制御部は、タイムスロット接続情報を登録するメモリを備え、タイムスロット単位で管理し、装置の起動時または設定変更時に、制御バスを介して任意のオプションスロットに搭載された一次群インタフェース部または複数の基本群インタフェース部の内部レジスタにタイムスロット接続情報を設定するので、一次群インタフェース部および複数の基本群インタフェース部でデータの多重化を受け持つことができ、データの多重化を分散して管理し、通信の信頼性を高めることができる。
【００３１】
さらに、この発明に係る主制御部は、一次群インタフェース部または複数の基本群インタフェース部の１枚を選択し、基準クロックおよび基準フレームを発信するオプションスロットを指定するので、一次群インタフェース部または基本群インタフェースのいずれからでも基準クロックおよび基準フレームを発信することができ、基準クロックおよび基準フレームの発信元に障害が発生しても別の発信元を指定し、装置の動作の安定化を図ることができる。
【００３２】
また、この発明に係る基準クロックおよび基準フレームの発信元になるＰＲＩインタフェース部またはＢＲＩインタフェース部は、基本クロックの周波数を増加することにより、タイムスロットを増加するので、オプションスロットにＢＲＩインタフェース部を搭載するだけで多重化するＢチャネルを増加することができ、システムの拡張を容易に実現することができる。
【００３３】
さらに、この発明に係るハイウェイは、データ線Ｄ１とデータ線Ｄ２を備え、装置に搭載するオプションスロットの番号に基づいてデータの送受信方向を決定するので、一次群インタフェース部および複数の基本群インタフェース部を搭載するオプションスロットを限定することなく、限られたデータ線の帯域でデータを伝送することができ、データ線の有効利用を実現することができる。
【００３４】
また、この発明に係るハイウェイは、基準クロックおよび基準フレームに基づいて時分割多重を行い、データ線Ｄ１とデータ線Ｄ２のタイムスロットでデータ通信を実行するので、多重化を分散させて実行することができ、多重化の信頼性を向上させることができる。
【発明を実施するための最良の形態】
【００３５】
以下、この発明の実施の形態を添付図面に基づいて説明する。図１はこの発明に係るＴＤＭ装置が適用されるディジタル専用線システムの構成図である。図１において、ディジタル専用線システム１は、ＰＲＩ専用回線ＬＰおよびＢＲＩ専用回線ＬＢ１〜ＬＢｎを収容するＴＤＭ装置２と、ＰＲＩ専用回線ＬＰを介して接続するルータ３ａと、ルータ３ａにＬＡＮａを介して接続するデータ端末４ａと、ＢＲＩ専用回線ＬＢ１〜ＬＢｎが接続されるディジタル専用線ＮＴと、ディジタル専用線ＮＴに接続するルータ３ｂ１〜３ｂｎと、ルータ３ｂ１〜３ｂｎにそれぞれＬＡＮｂ１〜ＬＡＮｂｎを介して接続するデータ端末４ｂ１〜４ｂｎとから構成する。
【００３６】
ＰＲＩ専用回線ＬＰは、例えば１．５Ｍｂｐｓのビットレートを有し、ＢＲＩ専用回線ＬＢ１〜ＬＢｎは、例えば６４Ｋｂｐｓまたは１２８Ｋｂｐｓのビットレートを有する。
【００３７】
データ端末４ａから送信されるＢチャネルデータは、ＬＡＮａ→ルータ３ａ→ＰＲＩ専用回線ＬＰを経由してＴＤＭ装置２に収容される。ＴＤＭ装置２は、ＰＲＩインタフェース部（一次群インタフェース部）でＢチャネルデータを分離し、分離したＢチャネルデータを各ＢＲＩインタフェース部（基本群インタフェース部）からＢＲＩ専用回線ＬＢ１〜ＬＢｎ→ディジタル専用回線ＮＴ→ルータ３ｂ１〜３ｂｎ→ＬＡＮｂ〜ＬＡＮｎを経由してデータ端末４ｂ１〜４ｂｎに送信する。
【００３８】
一方、データ端末４ｂ１〜４ｂｎから送信されるＢチャネルデータは、ＬＡＮｂ１〜ＬＡＮｂｎ→ルータ３ｂ１〜３ｂｎ→ディジタル専用回線ＮＴ→ＢＲＩ専用回線ＬＢ１〜ＬＢｎを経由してＴＤＭ装置２に収容される。ＴＤＭ装置２は、ＰＲＩインタフェース部で複数のＢチャネルデータを多重化し、多重化したＢチャネルデータをＰＲＩ専用回線ＬＰ→ルータ３ａ→ＬＡＮａを経由してデータ端末４ａに送信する。
【００３９】
ＴＤＭ装置２は、ＰＲＩ専用回線ＬＰ（例えば、１．５Ｍｂｐｓ）の１本に対して最大２４回線のＢＲＩ専用回線ＬＢ（例えば、６４Ｋｂｐｓ）分のＢチャネルデータを多重化することが可能である。
【００４０】
図２はこの発明に係るＴＤＭ装置の一実施の形態構成図である。図２において、ＴＤＭ装置２の構成は、主制御部のボードを１枚搭載するスペースと、ＰＲＩインタフェース部（一次群インタフェース部）のボードおよび複数のＢＲＩインタフェース部（基本群インタフェース部）のボードを搭載するオプションスロット１〜ｎとを備え、オプションスロット１〜ｎには、任意の位置にＰＲＩインタフェース部のボードおよび複数のＢＲＩインタフェース部のボードを搭載することができる。
【００４１】
また、主制御部のボードを１枚搭載するスペースおよびオプションスロット１〜ｎ相互間は、制御バスおよびハイウェイを接続する。
【００４２】
このように、この発明に係るＴＤＭ装置２は、複数のオプションスロット１〜ｎを備え、一次群インタフェース部（ＰＲＩインタフェース部）および複数の基本群インタフェース部（ＢＲＩインタフェース部）を任意のオプションスロット１〜ｎに搭載可能なので、装置の初期設定ならびに増設を極めて容易に実現することができ、使い勝手の良さをアピールすることができる。
【００４３】
図３はこの発明に係るＴＤＭ装置の実施の形態基本ブロック構成図である。図３において、ＴＤＭ装置２は、主制御部５、一次群インタフェースを構成するＰＲＩインタフェース部６、複数の基本群インタフェース部を構成するＢＲＩインタフェース部７ａ１〜７ａｎ、制御バスＢＵおよびハイウェイ８を備える。
【００４４】
図３を用いてＰＲＩインタフェース部６とＢＲＩインタフェース部７ａ１〜７ａｎとを時分割多重方式を使って接続するために必要なハイウェイ８のタイムスロット接続情報の設定について説明する。主制御部５は、図示しないメモリ等にハイウェイ８のタイムスロット接続情報を登録しており、タイムスロット単位で管理する。
【００４５】
主制御部５は、装置の起動時や設定変更時に制御バスＢＵを介し、タイムスロット接続情報を図２に示す任意のオプションスロット１〜ｎに搭載されたＰＲＩインタフェース部６、ＢＲＩインタフェース部７ａ１〜７ａｎの内部レジスタに設定する。
【００４６】
ＰＲＩインタフェース部６およびＢＲＩインタフェース部７ａ１〜７ａｎは、一度タイムスロット接続情報が設定されると、ハイウェイ８への接続タイミングを決定し、装置の電源を切るか、またはタイムスロット接続情報を変更しない限り主制御部５からの制御を必要とせず、相互間のデータ通信が可能となる。
【００４７】
また、主制御部５は、時分割多重に必要な基準クロックおよび基準フレームの発信元となる任意のオプションスロット１〜ｎを制御バスＢＵを介して指定することにより、オプションスロット１〜ｎに搭載されたＰＲＩインタフェース部６またはＢＲＩインタフェース部７ａ１〜７ａｎの１台（１枚のボード）を基準クロックおよび基準フレームの発信元として設定する。
【００４８】
ＰＲＩ専用回線ＬＰまたはＢＲＩ専用回線ＬＢ１〜ＬＢｎに回線障害等が発生すると、基準クロックの位相が保証できなくなるため、ＰＲＩインタフェース部６またはＢＲＩインタフェース部７ａ１〜７ａｎは、内部レジスタに回線状態のステータスを挙げる。
【００４９】
主制御部５は、制御バスＢＵを介してＰＲＩインタフェース部６またはＢＲＩインタフェース部７ａ１〜７ａｎの内部レジスタの状態を周期的に読み取って回線状態を判断し、発信元に選択されているＰＲＩインタフェース部６またはＢＲＩインタフェース部７ａ１〜７ａｎに回線障害等が発生している場合には、正常な状態にある他のＰＲＩインタフェース部６またはＢＲＩインタフェース部７ａ１〜７ａｎを基準クロックおよび基準フレームの発信元に変更する。
【００５０】
ＰＲＩインタフェース部６およびＢＲＩインタフェース部７ａ１〜７ａｎは、基準クロックおよび基準フレームを発信する発信回路を備える。
【００５１】
また、ＰＲＩインタフェース部６およびＢＲＩインタフェース部７ａ１〜７ａｎは、タイムスロット接続情報に基づいてハイウェイタイミング制御を実行し、タイムスロットの配列を自由に設定するハイウェイ８を介して相互接続し、データの多重またはデータの分離を行う。
【００５２】
ハイウェイ８は、データを伝送する２本のデータ線Ｄ１およびデータ線Ｄ２、基準クロックを伝送する基準クロック線、基準フレームを伝送する基準フレーム線を備える。
【００５３】
このように、この発明に係る主制御部５は、タイムスロット接続情報を登録するメモリを備え、タイムスロット単位で管理し、装置１の起動時または設定変更時に、制御バスＢＵを介して任意のオプションスロット１〜ｎに搭載された一次群インタフェース部（ＰＲＩインタフェース部６）または複数の基本群インタフェース部（ＢＲＩインタフェース部７ａ１〜７ａｎ）の内部レジスタにタイムスロット接続情報を設定するので、一次群インタフェース部および複数の基本群インタフェース部でデータの多重化を受け持つことができ、データの多重化を分散して管理し、通信の信頼性を高めることができる。
【００５４】
また、この発明に係る主制御部５は、一次群インタフェース部（ＰＲＩインタフェース部６）または複数の基本群インタフェース部（ＢＲＩインタフェース部７ａ１〜７ａｎ）の１枚を選択し、基準クロックおよび基準フレームを発信するオプションスロット１〜ｎを指定するので、一次群インタフェース部または基本群インタフェースのいずれからでも基準クロックおよび基準フレームを発信することができ、基準クロックおよび基準フレームの発信元に障害が発生しても別の発信元を指定し、装置の動作の安定化を図ることができる。
【００５５】
図４はこの発明に係る一次群インタフェース部の実施の形態要部ブロック構成図である。図４において、一次群インタフェース部であるＰＲＩインタフェース部６は、ＰＲＩディジタル専用線インタフェース部９、中継制御部１０、ハイウェイインタフェース部１１およびタイミング制御部１２を備える。
【００５６】
図４を用いてＰＲＩ専用回線ＬＰからハイウェイ８へのＢチャネルデータの流れ、基準クロックおよび基準フレームについて説明する。ハイウェイ８のタイムスロット接続情報、基準クロックおよび基準フレームの入出力設定は、制御バスＢＵからハイウェイタイミング制御部１２に設定される。
【００５７】
ＰＲＩインタフェース部６は、基準クロックおよび基準フレームの発信元に指定された場合、ＰＲＩディジタル専用線インタフェース部９でＰＲＩ専用回線ＬＰから抽出されたＰＲＩ専用回線ＬＰの同期クロックを分周して基準クロックおよび基準フレームを作成し、ハイウェイ８（基準クロック線、基準フレーム線）に送出する。
【００５８】
また、ＰＲＩインタフェース部６は、基準クロックおよび基準フレームの受信側となった場合には、ハイウェイタイミング制御部１２がハイウェイ８（基準クロック線、基準フレーム線）から基準クロックおよび基準フレームを受信し、基準クロックおよび基準フレームをＰＲＩディジタル専用線インタフェース部９に供給する。
【００５９】
また、ＰＲＩディジタル専用線インタフェース部９は、ＰＲＩ専用回線ＬＰの終端機能を有し、ルータ３ａからのＢチャネルデータを受信し、Ｂチャネルデータを中継制御部１０に供給する。
【００６０】
中継制御部１０は、ＰＲＩ専用回線ＬＰのタイムスロット分（例えば、２４タイムスロット）のＢチャネルデータを一時的にメモリに格納する。
【００６１】
ハイウェイタイミング制御部１２は、内部レジスタにタイムスロット接続情報を予め設定しており、タイムスロット接続情報に基づいてハイウェイ８への接続タイミングを作成する。
【００６２】
ハイウェイインタフェース部１１は、ハイウェイタイミング制御部１２の指示により、ハイウェイ８の任意のタイムスロットにＢチャネルデータを乗せることが可能であり、タイムスロット接続情報を変更すれば、ハイウェイ８のどのタイムスロットにでもＢチャネルデータを乗せることができる。
【００６３】
このように、この発明に係る一次群インタフェース部（ＰＲＩインタフェース部６）は、内部レジスタにタイムスロット接続情報を記憶し、タイムスロット接続情報に対応してハイウェイ８への接続タイミングを生成するハイウェイタイミング制御部１２と、基準クロックおよび基準フレームの発信元になった場合、ＰＲＩ専用回線ＬＰから抽出した同期クロックを分周して基準クロックおよび基準フレームを作成し、ハイウェイ８に送出するＰＲＩディジタル専用線インタフェース部９と、ＰＲＩ専用回線ＬＰの複数のタイムスロット分データを一時的にメモリに蓄積する中継制御部１０と、ハイウェイタイミング制御部１２の指示により、ハイウェイ８の任意のタイムスロットにデータを乗せるハイウェイインタフェース部１１とを備えたので、ハイウェイ８からのＢチャネルデータを多重化してＰＲＩ専用回線ＬＰに送信するとともに、ＰＲＩ専用回線ＬＰからのＢチャネルデータを分離してハイウェイ８を介して各基本群インタフェース部（ＢＲＩインタフェース部７ａ１〜７ａｎ）に伝送することができ、一部の基本群インタフェース部（ＢＲＩインタフェース部７ａ１〜７ａｎ）の多重化に故障が発生しても装置全体に影響を及ぼすことなく、通信の継続を保証することができる。
【００６４】
図５はこの発明に係る基本群インタフェース部の実施の形態要部ブロック構成図である。図５において、基本群インタフェース部であるＢＲＩインタフェース部７ａ１は、ハイウェイインタフェース部１３、ハイウェイタイミング制御部１４、中継制御部１５、ＢＲＩディジタル専用線インタフェース部１６を備える。なお、ＢＲＩインタフェース部７ａ２〜７ａｎもＢＲＩインタフェース部７ａ１と同じ構成である。
【００６５】
図５を用いてハイウェイ８からＢＲＩ専用回線ＬＢ１へのＢチャネルデータの流れ、基準クロックおよび基準フレームについて説明する。ハイウェイタイミング制御部１４は、内部レジスタにタイムスロット接続情報を予め格納し、タイムスロット接続情報に基づいてハイウェイ８への接続タイミングを作成する。
【００６６】
ハイウェイインタフェース部１３は、ハイウェイタイミング制御部１４の指示により、ハイウェイ８からＢチャネルデータを受信し、Ｂチャネルデータを中継制御部１５に供給する。
【００６７】
中継制御部１５は、ハイウェイインタフェース部１３から供給されるＢチャネルデータに速度変換を施し、速度変換を施したＢチャネルデータをＢＲＩディジタル専用線インタフェース部１６を介してＢＲＩ専用回線ＬＢ１に送出する。
【００６８】
図６はこの発明に係るタイムスロットの交換方式の一実施の形態説明図である。（ａ）図はスロットＮＯの若番から老番へのデータ送信、（ｂ）図はスロットＮＯの老番から若番へのデータ送信を表わす。
【００６９】
（ａ）図では、スロット（図２に示すオプションスロット）ＮＯ１からスロットＮＯ３にＢチャネルデータを送信する際には、データ線Ｄ１を介して行われ、スロットＮＯ３からスロットＮＯ１にＢチャネルデータを送信する際には、データ線Ｄ２を介して行われる。
【００７０】
（ｂ）図では、スロットＮＯ３からスロットＮＯ８にＢチャネルデータを送信する際には、データ線Ｄ１を介して行われ、スロットＮＯ８からスロットＮＯ３にＢチャネルデータを送信する際には、データ線Ｄ２を介して行われる。
【００７１】
スロットＮＯ（オプションスロット１〜ｎ）の搭載位置関係により、Ｂチャネルデータ送信に使用されるハイウェイ８のデータ線Ｄ１およびデータ線Ｄ２が異なり、若番スロットから老番スロットへのデータ送信にはデータ線Ｄ１が使用され、老番スロットから若番スロットへのデータ送信にはデータ線Ｄ１が使用される。
【００７２】
このように、この発明に係るハイウェイ８は、データ線Ｄ１とデータ線Ｄ２を備え、装置に搭載するオプションスロットの番号１〜ｎに基づいてデータの送受信方向を決定するので、一次群インタフェース部（ＰＲＩインタフェース部６）および複数の基本群インタフェース部（ＢＲＩインタフェース部７ａ１〜７ａｎ）を搭載するオプションスロットを限定することなく、限られたデータ線Ｄ１，Ｄ２の帯域でデータを伝送することができ、データ線の有効利用を実現することができる。
【００７３】
また、この発明に係るハイウェイ８は、基準クロックおよび基準フレームに基づいて時分割多重を行い、データ線Ｄ１とデータ線Ｄ２のタイムスロットでデータ通信を実行するので、多重化を分散させて実行することができ、多重化の信頼性を向上させることができる。
【００７４】
図７はこの発明に係るハイウェイの一実施の形態基本タイミング図である。図７において、例えば４．０９６ＭＨｚの基本クロック、８ＫＨｚの基準フレームに基づいて時分割多重を行い、データ線Ｄ１とデータ線Ｄ２のタイムスロットでデータ通信を行う。なお、タイムスロットは、それぞれＴＳ１〜ＴＳ５１２の５１２チャネル分が使用可能となる。
【００７５】
図８はこの発明に係るハイウェイの一実施の形態拡張タイミング図である。図８において、基本クロック（例えば、４．０９６ＭＨｚ）を２倍（８．１９２ＭＨｚ）にすることにより、回路構成を変更することなく、タイムスロットをＴＳ１からＴＳ１０２４の１０２４チャネル分が使用可能となる。
【００７６】
このように、この発明に係る基準クロックおよび基準フレームの発信元になるＰＲＩインタフェース部（ＰＲＩインタフェース部６）またはＢＲＩインタフェース部（ＢＲＩインタフェース部７ａ１〜７ａｎ）は、基本クロックの周波数を増加することにより、タイムスロットを増加するので、オプションスロットにＢＲＩインタフェース部を搭載するだけで多重化するＢチャネルを増加することができ、システムの拡張を容易に実現することができる。
【００７７】
以上説明したように、この発明に係るＴＤＭ装置２は、ＰＲＩ専用回線ＬＰを接続する一次群インタフェース部（ＰＲＩインタフェース部６）と、複数のＢＲＩ専用回線ＬＢ１〜ＬＢｎを接続する複数の基本群インタフェース部（ＢＲＩインタフェース部７ａ１〜７ａｎ）と、Ｂチャネルをタイムスロット接続情報に基づいて指定されたタイムスロットに割り当てる主制御部５と、基本クロック線、基本フレーム線、２本のデータ線Ｄ１，Ｄ２を有するハイウェイ８とを備え、一次群インタフェース部（ＰＲＩインタフェース部６）および基本群インタフェース部（ＢＲＩインタフェース部７ａ１〜７ａｎ）は、それぞれハイウェイタイミング制御を行い、タイムスロットの配列を自由に設定するハイウェイ８を介して相互接続し、データ多重、データ分離をするので、データ多重、データ分離の自由度が広く、容易に実行することができ、利便性の向上を図ることができる。
【産業上の利用可能性】
【００７８】
本発明に係るＴＤＭ装置は、データ多重化を分散させて実行することにより、多重化の信頼性を向上させることができ、一時的でも装置全体を停止することが許されない高信頼性を要求されるデータ多重化に適用することができる。
【図面の簡単な説明】
【００７９】
【図１】この発明に係るＴＤＭ装置が適用されるディジタル専用線システムの構成図
【図２】この発明に係るＴＤＭ装置の一実施の形態構成図
【図３】この発明に係るＴＤＭ装置の実施の形態基本ブロック構成図
【図４】この発明に係る一次群インタフェース部の実施の形態要部ブロック構成図
【図５】この発明に係る基本群インタフェース部の実施の形態要部ブロック構成図
【図６】この発明に係るタイムスロットの交換方式の一実施の形態説明図
【図７】この発明に係るハイウェイの一実施の形態基本タイミング図
【図８】この発明に係るハイウェイの一実施の形態拡張タイミング図
【符号の説明】
【００８０】
１    ディジタル専用線システム
２    ＴＤＭ装置
３ａ，３ｂ１〜３ｂｎ    ルータ
４ａ，４ｂ１〜４ｂｎ    データ端末
５    主制御部
６    ＰＲＩインタフェース部
７ａ１〜７ａｎ    ＢＲＩインタフェース部
８    ハイウェイ
９    ＰＲＩディジタル専用線インタフェース部
１０，１５    中継制御部
１１，１３    ハイウェイインタフェース部
１２，１４    ハイウェイタイミング制御部
１６    ＢＲＩディジタル専用線インタフェース部
ＢＵ    制御バス
Ｄ１，Ｄ２    データ線
ＬＢ１〜ＬＢｎ    ＢＲＩ専用回線
ＬＰ    ＰＲＩ専用回線
ＴＳｉ    タイムスロット
【図１】
2005073204.tif 000003
【図２】
2005073204.tif 000004
【図３】
2005073204.tif 000005
【図４】
2005073204.tif 000006
【図５】
2005073204.tif 000007
【図６】
2005073204.tif 000008
【図７】
2005073204.tif 000009
【図８】
2005073204.tif 000010